(57)【要約】  シャフトと、シャフトの周りに複数の傘骨を有する天蓋フレームとを備え、各傘骨が折り畳み可能である傘フレームであり、天蓋フレームは、比率ＲＬＴ：ＣＬが既存の傘に比べて改善されるように、長さＲＬＴに展開可能であり、長さＣＬに折り畳み可能である。
2018514348.tif 000002
【特許請求の範囲】
【請求項１】
コンパクトな構成に折り畳み可能な傘フレームであって、
シャフトと、
前記シャフトの周りに複数の傘骨を有する天蓋フレームであって、各傘骨が折り畳み可能であり、かつ
前記シャフトと結合された第１のポイントを有する第１の支柱、
第１の枢着部で前記第１の支柱の第２のポイントに接合された第２の支柱、および
前記支柱を操作して、前記傘骨を折り畳まれた構成にするための支柱アクチュエータを備える、天蓋フレームと、を備え、
前記第１の支柱および第２の支柱を前記シャフトに隣接して位置付けることによって、前記傘骨を前記折り畳まれた構成に配置するように、前記支柱アクチュエータが操作可能であり、
前記第１の支柱が、前記シャフトに隣接して位置付けられたときに前記第１の支柱および第２の支柱の合わせた長さを縮小するように、前記折り畳まれた構成において縮小する可変長を有し、かつ/または、
前記第２の支柱が、前記シャフトに隣接して位置付けられたときに第３の支柱の長さを縮小するように、前記折り畳まれた構成において縮小する可変長を有する、傘フレーム。
【請求項２】
前記支柱アクチュエータが、
第１のポイントで前記シャフトに結合され、第２の枢着部で前記第１の支柱に結合された第１の部材、および／または、
第２の枢着部で前記第１の部材に結合され、第３の枢着部で前記第２の支柱に結合された第２の部材と、を備える、請求項１に記載の傘フレーム。
【請求項３】
前記第１の支柱が、前記可変長を提供するための伸縮部を備える、請求項１または２に記載の傘フレーム。
【請求項４】
前記伸縮部が、スリーブおよび前記スリーブ内で摺動可能な支柱部材を備える、請求項３に記載の傘フレーム。
【請求項５】
前記第２の支柱が、前記可変長を提供するための伸縮部を備える、請求項１〜４のいずれか一項に記載の傘フレーム。
【請求項６】
前記伸縮部が、スリーブおよび前記スリーブ内で摺動可能な傘骨部材を備える、請求項５に記載の傘フレーム。
【請求項７】
前記第１の部材が、前記摺動可能な支柱部材に結合される、請求項３〜６のいずれか一項に記載の傘フレーム。
【請求項８】
前記第２の部材が、前記摺動可能な傘骨部材に結合される、請求項３〜７のいずれか一項に記載の傘フレーム。
【請求項９】
第１の支柱レバーが、前記第１の支柱と前記第１の部材との間を枢動可能に結合される、請求項２〜７のいずれか一項に記載の傘フレーム。
【請求項１０】
第２の支柱レバーが、前記第１の支柱と前記第２の部材との間を枢動可能に結合される、請求項２〜７のいずれか一項に記載の傘フレーム。
【請求項１１】
前記支柱アクチュエータが、前記第１の支柱を前記第１のポイントで前記シャフトに結合させる、摺動可能な結合部をさらに備える、請求項１〜１０のいずれか一項に記載の傘フレーム。
【請求項１２】
前記支柱アクチュエータが、前記第１の支柱の前記第１のポイントを前記第１の部材の前記第１のポイントに対して、かつ／または反対の方向に移動させることによって、前記第１の支柱を枢動させるように操作可能である、請求項２〜１１のいずれか一項に記載の傘フレーム。
【請求項１３】
前記シャフトに沿った、前記第１の部材の前記第１のポイントに対して、かつ／またはそれに向かって反対の方向への前記第１の支柱の前記第１のポイントの移動が、前記第１の支柱を前記シャフトから離れるように枢動させ、前記支柱長を展開された構成へと増加させるように前記第１の支柱の前記摺動可能な支柱部材を移動させる、請求項１２に記載の傘フレーム。
【請求項１４】
前記シャフトに沿った、前記第１の部材の前記第１のポイントに対して、かつ／またはそれから離れる反対の方向への前記第１の支柱の前記第１のポイントの移動が、前記第１の支柱を前記シャフトに向かって枢動させ、前記支柱長を折り畳まれた構成へと縮小させるように前記第１の支柱の前記摺動可能な支柱部材を移動させる、請求項１２または１３に記載の傘フレーム。
【請求項１５】
前記シャフトに沿った、前記第１の部材の前記第１のポイントに対して、かつ／またはそれに向かって反対の方向への前記第１の支柱の前記第１のポイントの移動が、前記第２の支柱を前記シャフトから離れるように枢動させ、前記支柱長を展開された構成へと増加させるように前記第２の支柱の前記摺動可能な傘骨部材を離れるように移動させる、請求項１２〜１４のいずれか一項に記載の傘フレーム。
【請求項１６】
前記シャフトに沿った、前記第１の部材の前記第１のポイントに対して、かつ／またはそれから離れる反対の方向への前記第１の支柱の前記第１のポイントの移動が、前記第２の支柱を前記シャフトに向かって枢動させ、前記支柱長を折り畳まれた構成へと縮小させるように前記第２の支柱の前記傘骨部材を移動させる、請求項１２〜１６のいずれか一項に記載の傘フレーム。
【請求項１７】
前記天蓋フレーム上に天蓋をさらに備える、請求項１〜１６のいずれかに記載の傘フレーム。
【請求項１８】
折り畳まれたとき、前記傘フレームが、容易な保管のために十分に小さい全長を有し、展開されたとき、保護するのに好適な天蓋領域を提供するのに十分に大きい天蓋半径を提供するのに十分な長さである、請求項１７に記載の傘フレーム。
【請求項１９】
傘であって、
請求項１〜１７の誰でもに記載の傘フレームと、
前記傘フレーム上の天蓋と、を備える傘。
【請求項２０】
コンパクトな折り畳まれた構成に折り畳み可能な傘フレームであって、
シャフトと、
前記シャフトの周りに複数の傘骨を有する天蓋フレームであって、各傘骨が折り畳み可能であり、かつ
前記シャフトと結合された第１のポイントおよび可変長部を有する第１の支柱、および
前記支柱を操作して前記傘骨を折り畳まれた構成と展開された構成との間で移動させるための第１の部材を有する支柱アクチュエータであって、前記第１の支柱および支柱アクチュエータが第１の枢着部で結合し、前記傘骨のための構造的支持体を提供するように組み合わさる、支柱アクチュエータを備える、天蓋フレームと、を備え、
前記可変長部が伸び、構造的支持体が伸びて、前記第１のポイントと前記第１の枢着部との間の前記第１の支柱の長さＲに基づく、前記展開された構成における支持体長ＳＬになり、前記可変長部が収縮し、前記構造的支持体が収縮して、前記第１のポイントと前記第１の枢着部との間の前記第１の支柱のより短い長さｃＲに依存する、前記折り畳まれた構成における折り畳まれた長さＣＬになり、ｃＲがＲ未満である、傘フレーム。
【請求項２１】
前記長さＲが、前記展開状態で十分なカバー範囲を提供するのに十分に大きな半径ＲＬＴを有する傘骨を支持する、支持体長ＳＬを提供するのに十分に大きい一方で、長さｃＲが、前記折り畳まれた状態で前記傘フレームをコンパクトにするのに十分に短い折り畳み長ＣＬを提供するように十分に短い、請求項２０に記載の傘フレーム。
【請求項２２】
第２の枢着部で前記第１の支柱の第２のポイントに接合された第２の支柱をさらに含み、前記支柱アクチュエータが、前記第２の支柱を操作して前記傘骨を前記折り畳まれた構成と前記展開された構成との間で移動させるための第２の部材を備え、前記第２の部材が、追加の構造的支持体を提供し、前記第２の支柱が、前記展開された構成において前記半径ＲＬＴを増加させる、請求項２０または２１に記載の傘フレーム。
【請求項２３】
前記支持体長の全傘フレーム半径に対する比率（ＳＬ：ＲＬＴ）が、約０．２：１〜約０．４：１である、請求項１９〜２１のいずれか一項に記載の傘フレーム。
【請求項２４】
全傘フレーム半径のコンパクトな長さに対する比率（ＲＬＴ：ＣＬ）が、約１．８：１〜約３．２：１である、請求項２０〜２３のいずれか一項に記載の傘フレーム。
【請求項２５】
展開状態における三角形支持構造体の合わせた径方向の長さの、前記折り畳まれた状態における前記三角形支持構造体の合わせた径方向の長さに対する比率（Ｒ１＋Ｒ２）：（Ｒ１＋ｃＲ２）は、約２７０：１．５６＊ＳＬである、請求項２０〜２４のいずれか一項に記載の傘フレーム。
【請求項２６】
・ＲＬＴが、約４５０ｍｍ〜約６００ｍｍであり、
・ＳＬが、約１００ｍｍ〜約２００ｍｍであり、
・Ｒ１、Ｒ２が、約１００ｍ〜約２００ｍｍであり、
・ＣＬが、約１９０ｍｍ〜約２５０ｍｍである、
請求項２０〜２５のいずれか一項に記載の傘フレーム。
【請求項２７】
前記天蓋フレーム上に天蓋を備える、請求項２０〜２５のいずれか一項に記載の傘フレーム。
【請求項２８】
傘フレームであって、
シャフトと、
前記シャフトの周りに複数の傘骨を有する天蓋フレームであって、各傘骨が折り畳み可能であり、かつ
支柱アクチュエータによって延在可能および折り畳み可能な第１の支柱を備え、前記第１の支柱および支柱アクチュエータが第１の枢着部で接合され、前記展開された構成において支持体長ＳＬまで延在する長さＲ１、Ｒ２の２つのリムを有し、より短い長さｃＲ２の少なくとも１つのリムが前記折り畳まれた構成にある傘骨支持構造体を作り出す、天蓋フレームを、備える傘フレーム。
【請求項２９】
傘フレームであって、
シャフトと、
前記シャフトの周りに複数の傘骨を有する天蓋フレームであって、各傘骨が折り畳み可能な、天蓋フレームと、を備え、
前記天蓋フレームが、比率ＲＬＴ：ＣＬが既存の傘に比べて改善されるように、長さＲＬＴに展開可能であり、長さＣＬに折り畳み可能である、傘フレーム。
【発明の詳細な説明】
【技術分野】
【０００１】
本発明は、折り畳み可能でコンパクトな傘フレームおよび傘に関する。
【背景技術】
【０００２】
傘は、傘を作動させるために展開可能であり、保管または携帯のために折り畳み可能な傘骨を備えるフレームを有する。しかしながら、折り畳まれた状態であっても、傘は、保管または携帯時、例えばハンドバッグに入れて持ち運ぶには依然として非常に大きくなり得る。
【発明の概要】
【発明が解決しようとする課題】
【０００３】
折り畳み可能な傘フレームおよび／または傘を提供することが本発明の目的である。
【課題を解決するための手段】
【０００４】
一態様において、本発明は、シャフト、シャフトの周りに複数の傘骨を有する天蓋フレームを有する、コンパクトな構成に折り畳み可能な傘フレームから成ると言ってもよく、各傘骨が折り畳み可能であり、かつシャフトと結合された第１のポイントを有する第１の支柱、第１の枢着部で第１の支柱の第２のポイントに接合された第２の支柱、および支柱を操作して、傘骨を折り畳まれた構成にするための支柱アクチュエータを備え、第１の支柱および第２の支柱をシャフトに隣接して位置付けることによって、傘骨を折り畳まれた構成に配置するように、支柱アクチュエータが操作可能であり、第１の支柱が、シャフトに隣接して位置付けられたときに第１の支柱および第２の支柱の合わせた長さを縮小するように、折り畳まれた構成において縮小する可変長を有し、および／または第２の支柱が、シャフトに隣接して位置付けられたときに第３の支柱の長さを縮小するように、折り畳まれた構成内で縮小する可変長を有する。
【０００５】
好ましくは、支柱アクチュエータは、第１のポイントでシャフトに結合され、第２の枢着部で第１の支柱に結合された第１の部材、および／または、第２の枢着部で第１の部材に結合され、第３の枢着部で第２の支柱に結合された第２の部材を備える。
【０００６】
好ましくは、第１の支柱は、可変長を提供するための伸縮部を備える。
【０００７】
好ましくは、伸縮部は、スリーブおよびスリーブ内で摺動可能な支柱部材を備える。
【０００８】
好ましくは、第２の支柱は、可変長を提供するための伸縮部を備える。
【０００９】
好ましくは、伸縮部は、スリーブおよびスリーブ内で摺動可能な傘骨部材を備える。
【００１０】
好ましくは、第１の部材は、摺動可能な支柱部材に結合される。
【００１１】
好ましくは、第２の部材は、摺動可能な傘骨部材に結合される。
【００１２】
好ましくは、第１の支柱レバーは、第１の支柱と第１の部材との間に枢動可能に結合される。
【００１３】
好ましくは、第２の支柱レバーは、第１の支柱と第２の部材との間に枢動可能に結合される。
【００１４】
好ましくは、支柱アクチュエータは、第１の支柱を第１のポイントでシャフトに結合させる、摺動可能な結合部をさらに備える。
【００１５】
好ましくは、支柱アクチュエータは、第１の部材の第１のポイントに対するおよび／または反対の方向に第１の支柱の第１のポイントを移動させることによって、第１の支柱を枢動させるように操作可能となる。
【００１６】
好ましくは、第１の部材の第１のポイントに向かって対するおよび／または反対の方向への第１の支柱の第１のポイントのシャフトに沿った移動は、第１の支柱がシャフトから離れるように枢動させ、支柱長を展開された構成において増加させるように第１の支柱の摺動可能な支柱部材を移動させる。
【００１７】
好ましくは、第１の部材の第１のポイントに向かって対するおよび／または反対の方向への第１の支柱の第１のポイントのシャフトに沿った移動は、第１の支柱をシャフトから離れるように枢動させ、支柱長を折り畳まれた構成において減少させるように第１の支柱の摺動可能な支柱部材を移動させる。
【００１８】
好ましくは、第１の部材の第１のポイントに向かって対するおよび／または反対の方向への第１の支柱の第１のポイントのシャフトに沿った移動は、第２の支柱をシャフトから離れるように枢動させ、支柱長を展開された構成において増加させるように第２の支柱の摺動可能な傘骨部材を離れるように移動させる。
【００１９】
好ましくは、第１の部材の第１のポイントから離れるように対するおよび／または反対の方向への第１の支柱の第１のポイントのシャフトに沿った移動は、第２の支柱をシャフトに向かって枢動させ、支柱長を折り畳まれた構成において減少させるように第２の支柱の傘骨部材を移動させる。
【００２０】
好ましくは、傘は、天蓋フレーム上に天蓋をさらに備える。
【００２１】
好ましくは、折り畳まれたとき、傘フレームは、保管を容易にするために十分に小さな全長を有し、展開されたとき、傘フレームは、保護のための好適な天蓋領域を提供するための十分に大きな天蓋半径を提供する十分な長さである。
【００２２】
別の態様において、本発明は、上記段落の誰でもに従う傘フレーム、および傘フレーム上の天蓋を備える傘から成ると言ってもよい。
【００２３】
別の態様において、本発明は、シャフトと、シャフトの周りに複数の傘骨を有する天蓋フレームとを備える、コンパクトな折り畳まれた構成に折り畳み可能な傘フレームから成ると言ってもよく、各傘骨が、折り畳み可能で、シャフトと結合された第１のポイントおよび可変長部を有する第１の支柱と、支柱を操作して傘骨を折り畳まれた構成と展開された構成との間に移動させるための第１の部材を有する支柱アクチュエータとを備え、第１の支柱および支柱アクチュエータが、第１の枢着部で結合し、傘骨のための構造的支持体を提供するために連結し、可変長部が、第１のポイントと第１の枢着部との間の第１の支柱の長さＲに基づいて展開された構成における支持体長ＳＬに延在し、構造的支持体が、第１のポイントと第１の枢着部との間の第１の支柱の長さＲに基づいて展開された構成における支持体長ＳＬに延在し、可変長部が、第１のポイントと第１の枢着部との間の第１の支柱の短い方の長さｃＲによって、折り畳まれた構成における折り畳み長ＣＬまで縮小し、構造的支持体が、第１のポイントと第１の枢着部との間の第１の支柱の短い方の長さｃＲによって、折り畳まれた構成における折り畳み長ＣＬまで縮小し、ｃＲは、Ｒ未満である。
【００２４】
必要に応じて、長さＲは、展開状態で十分なカバー範囲を提供するための十分に大きな半径ＲＬＴを有する傘骨を支持する、支持体長ＳＬを提供するための十分な長さである一方で、長さｃＲは、折り畳まれた状態に傘フレームを圧縮するために十分に短い、折り畳み長ＣＬを提供するため十分に短い。
【００２５】
必要に応じて、傘フレームは、第２の枢着部で第１の支柱の第２のポイントに接合された第２の支柱をさらに含み、支柱アクチュエータは、第２の支柱を操作して傘骨を折り畳まれた構成と展開された構成との間に移動させるための第２の部材を備え、第２の部材は、追加の構造的支持体を提供し、第２の支柱は、展開された構成において半径ＲＬＴを増加させる。
【００２６】
必要に応じて、支持体長の全傘フレーム半径に対する比率（ＳＬ：ＲＬＴ）は、約０．２：１〜約０．４：１である。
【００２７】
必要に応じて、全傘フレーム半径のコンパクトな長さに対する比率（ＲＬＴ：ＣＬ）は、約１．８：１〜約３．２：１である。
【００２８】
必要に応じて、展開状態における三角形支持構造体の合わせた径方向長の、折り畳まれた状態における三角形支持構造体の合わせた径方向長に対する比率（Ｒ１＋Ｒ２）：（Ｒ１＋ｃＲ２）は、約２７０：１．５６＊ＳＬである。
必要に応じて：
ａ．ＲＬＴは、約４５０ｍｍ〜６００ｍｍであり、
ｂ．ＳＬは、約１００ｍｍ〜２００ｍｍであり、
ｃ．Ｒ１、Ｒ２は、約１００ｍ〜２００ｍｍであり、
ｄ．ＣＬは、約１９０ｍｍ〜２５０ｍｍである。
【００２９】
必要に応じて、傘フレームは、天蓋フレーム上に天蓋を備える。
【００３０】
別の態様において、本発明は、シャフトと、シャフトの周りに複数の傘骨を有する天蓋フレームを備える傘フレームから成ると言ってもよく、各傘骨が、折り畳み可能であり、支柱アクチュエータによって延在可能および折り畳み可能な第１の支柱を備え、第１の支柱および支柱アクチュエータが、第１の枢着部で接合され、展開された構成において支持体長ＳＬまで延在する長さＲ１、Ｒ２の２つのリムを有し、より短い長さｃＲ２の少なくとも１つのリムが、折り畳まれた構成にある傘骨支持構造体を作り出す。
【００３１】
別の態様において、本発明は、シャフト、シャフトの周りに複数の傘骨を有する天蓋フレームを備える傘フレームから成ると言ってもよく、各傘骨が、折り畳み可能であり、天蓋フレームは、比率ＲＬＴ：ＣＬが、既存の傘に比べて改善されるように長さＲＬＴに展開可能であり、長さＣＬに折り畳み可能である。
【００３２】
本明細書で開示された数字の範囲への言及（例えば、１〜１０）はまた、その範囲内の全ての有理数（例えば、１、１．１、２、３、３．９、４、５、６、６．５、７、８、９、および１０）への言及を組み込み、またその範囲内の有理数のいずれの範囲（例えば、２〜８、１．５〜５．５、および３．１〜４．７）もまた組み込み、それゆえ、本明細書で明示的に開示された全ての範囲の全ての副範囲も、本明細書によって明示的に開示されることが意図される。これらは、特に意図されることの例示であり、列挙された最小値と最大値との間の数値の全ての可能な組み合わせは、同様の方法でこの出願において明示的に述べられると考慮されるべきである。
【００３３】
本明細書において、言及が、特許明細書、その他の外部文献、またはその他の情報源になされたとき、これは概して本発明の特長を論じるための背景を提供する目的のためである。特に述べられない限り、そのような外部文献への言及はそのような文献、またはそのような情報源が、いずれの権限においても、先行技術であり、または当分野における共通の一般知識の一部を形成することを認めるものと解釈されるべきではない。
【００３４】
本明細書において使用される用語「備える（ｃｏｍｐｒｉｓｉｎｇ）」は、「少なくとも部分的に成す」ことを意味する。「備える（ｃｏｍｐｒｉｓｉｎｇ）」という用語を含む本明細書における各陳述を説明するとき、それ以外の特徴またはその用語によって始まるものもまた存在し得る。「備える（ｃｏｍｐｒｉｓｅ）」および「備える（ｃｏｍｐｒｉｓｅｓ）」等の関連した用語もまた、同様の方法で解釈されるべきである。
【００３５】
本発明はまた、本出願の明細書において単独でまたは集合的に言及されまたは示される、部品、要素、および特徴、ならびにいずれの２つ以上の前記部品、要素、または特徴の任意のまたは全ての組み合わせから概して成ると言ってもよく、本明細書で説明される特定の整数は、本発明が関する当分野における既知の同等物を有し、そのような既知の同等物は、単独で説明されるように本明細書に組み込まれるとみなされる。
【００３６】
本発明は、前述の構造から成り、また下記がほんの例として示す構造も構想する。
【００３７】
本発明の実施形態は、以下の図面を参照して説明される。
【図面の簡単な説明】
【００３８】
【図１Ａ】部分的に展開された構成、および折り畳まれた構成のいずれかにおいて、傘フレームの傘骨の支柱および枢着ポイントを一般的な概略形態で示す。
【図１Ｂ】部分的に展開された構成、および折り畳まれた構成のいずれかにおいて、傘フレームの傘骨の支柱および枢着ポイントを一般的な概略形態で示す。
【図１Ｃ】部分的に展開された構成、および折り畳まれた構成のいずれかにおいて、傘フレームの傘骨の支柱および枢着ポイントを一般的な概略形態で示す。
【図１Ｄ】部分的に展開された構成、および折り畳まれた構成のいずれかにおいて、傘フレームの傘骨の支柱および枢着ポイントを一般的な概略形態で示す。
【図２Ａ】折り畳まれた構成、展開された構成、およびそれらの間の様々な構成のいずれかにおいて、第１の可能な実施形態に従う傘フレームの１つの傘骨の様々な部材を概略形態で示す。
【図２Ｂ】折り畳まれた構成、展開された構成、およびそれらの間の様々な構成のいずれかにおいて、第１の可能な実施形態に従う傘フレームの１つの傘骨の様々な部材を概略形態で示す。
【図２Ｃ】折り畳まれた構成、展開された構成、およびそれらの間の様々な構成のいずれかにおいて、第１の可能な実施形態に従う傘フレームの１つの傘骨の様々な部材を概略形態で示す。
【図２Ｄ】折り畳まれた構成、展開された構成、およびそれらの間の様々な構成のいずれかにおいて、第１の可能な実施形態に従う傘フレームの１つの傘骨の様々な部材を概略形態で示す。
【図２Ｅ】折り畳まれた構成、展開された構成、およびそれらの間の様々な構成のいずれかにおいて、第１の可能な実施形態に従う傘フレームの１つの傘骨の様々な部材を概略形態で示す。
【図２Ｆ】折り畳まれた構成、展開された構成、およびそれらの間の様々な構成のいずれかにおいて、第１の可能な実施形態に従う傘フレームの１つの傘骨の様々な部材を概略形態で示す。
【図２Ｇ】折り畳まれた構成、展開された構成、およびそれらの間の様々な構成のいずれかにおいて、第１の可能な実施形態に従う傘フレームの１つの傘骨の様々な部材を概略形態で示す。
【図３Ａ】展開された構成における傘フレームを斜視形態で示す。
【図３Ｂ】折り畳まれた構成における傘フレームを斜視形態で示す。
【図４】傘フレームの様々な角度および長さを示す。
【図５Ａ】展開された構成において、第２の可能な実施形態に従う傘フレームの１つの傘骨の様々な部材を概略形態で示す。
【図５Ｂ】展開された構成において、第２の可能な実施形態に従う傘フレームの１つの傘骨の様々な部材を概略形態で示す。
【図６】折り畳まれた構成において、第２の可能な実施形態に従う傘フレームの１つの傘骨の様々な部材を概略形態で示す。
【図７】天蓋を有する傘フレームを示す。
【図８】天蓋を有する傘フレームを示す。
【図９Ａ】人物に関する天蓋を示す。
【図９Ｂ】人物に関する天蓋を示す。
【発明を実施するための形態】
【００３９】
説明された実施形態は、傘フレームを提供し、それには天蓋が取り付けられ得、傘を提供する。傘フレームは、コンパクトな保管構成（状態）に折り畳み可能であり、傘フレームの天蓋フレームを形成する傘骨は、縮小された長さの構成に折り畳み、折り畳まれた状態の傘の全長を縮小する。実施形態は、伸縮可能な部材の組み合わせを利用し、保管を容易にするために十分に小さな全長に折り畳まれる（ある長さで折られおよび縮小される）ことができるが、保護のための好適な天蓋領域を提供するための十分に大きな天蓋半径を提供するように十分な長さまで延在され／展開され得る、一方でまた、延在され／展開された構成（状態）中に天蓋フレームの好適な剛性／頑健性を確実とする。剛性を保持しながらも展開された長さの折り畳み長に対する比率は、既存の傘に比べて改善する。
【００４０】
図１Ａ〜１Ｄは、折り畳まれた構成全体において縮小された傘骨２１（Ｅ）および傘フレーム１３の全軸長を提供する天蓋フレーム１２の傘骨１１のメイン支柱および枢着部を、一般的な図表形態で示す。図１Ａ、１Ｂは、それぞれ展開された構成および部分的に展開された構成の傘骨１１を示し、図１Ｃ、１Ｄは、それぞれほとんど折り畳みおよび折り畳まれた構成の傘骨１１を示す。メインシャフト１５が、傘フレーム１３に提供される。メインシャフトは、その周りに配置された複数の傘骨例えば１１を有し（天蓋フレーム１２を形成し）、その中の１つが図１Ａ、１Ｂにおいて示される。傘骨１１は、（支柱の第１のポイント１６において）シャフト１５に結合された第１の支柱（または部材）１４を備える。第１の支柱１４は、（必要に応じて、好ましい実施形態において）第１の支柱ポイントがシャフトに沿ってまたはシャフトに平行して移動することを可能とする（シャフトと共にまたはシャフトに対して）方法で、シャフト１５と結合される。第１の支柱１４は、第１の支柱１４もまたシャフト１５に対して第１のポイント１６の周りを枢動１６することを可能とする方法で、シャフト１５と結合される。好ましくは、必ずしも必要ではないが、シャフト１５に接合された第１の支柱１４上の第１のポイント１６は、第１の支柱の第１の端部にある。
【００４１】
第２の支柱（または部材）１７は、第１の枢着部１８を介して（第１の支柱の第２のポイントにおいて）第１の支柱１４上に（第１のポイント１８において）接合される。好ましくは、第２の支柱１７に接合された第１の支柱１４上の第２のポイント１８は、第１の支柱の反対側の（第２の）端部にある。同様に、好ましくは、しかし必須ではないが、第２の支柱１７上の第１のポイント１８は、第２の支柱の第１の端部にある。
【００４２】
第１の支柱１４および第２の支柱１７のうちの少なくとも１つ、ならびに好ましくは両方が、それぞれの支柱１４、１７の長さの縮小および増加を可能とする（例えば、それぞれの可変長部１９、２０によって）可変長を有する。これは、例えば伸縮可能な配置によってなされ得る。
【００４３】
使用の際、各傘骨１１は、コンパクトな折り畳まれた構成（保管／携帯用に−図１Ｃ、１Ｄを参照）と天蓋がユーザに自然力からの保護を提供するために展開される、延在された／展開された構成との間で操作され得る。折り畳まれた構成を達成するために、傘骨は、図１Ｃ、１Ｄにおいて示されるような長さで折られ圧縮される。好ましくは、第１のポイント１６は、シャフト１５に沿ってまたはシャフト１５と平行に（シャフトと共にまたはシャフトに対して）下方５に移動され、図１Ｃ、１Ｄにおいて示されるように、第１の支柱１４がシャフトに隣接して／近接して（および好ましくはシャフトと整列しておよび／または当接して）位置付けられるように、第１の支柱１４を枢着部１６においてヒンジ結合／枢動させる。第２の支柱１７もまた、第２の支柱がシャフトおよび／または第１の支柱に隣接して／近接して（および好ましくはシャフトおよび第１のドラフトと整列しておよび／または当接して）位置付けられるように、枢着部１８においてヒンジ結合／枢動させる。これが、折り畳みの折り態様である。両方の支柱に関して、隣接とは、必ずしも完全に当接することまたは整列されたことを意味しないが、その構成にいくらか接近することを意味するということに留意されたい。また、図１Ｃは、部分的に折り畳まれた傘骨を示し、完全に折り畳まれたとき、支柱は、図１Ｄにあるように、シャフトにより近づくであろうということにも留意されたい。加えて、折り畳まれた構成を達成するために、傘骨は、長さにおいても圧縮される。好ましくは、支柱のうちの少なくとも１つの長さは、枢着部１８／支柱１４の端部１６、支柱１７の端部６の間で折り畳まれた支柱の全軸長２１（Ｅ）を縮小するために、（例えば、可変長部１９、２０を操作することによって）縮小される。これは、保管に役立たせるためのコンパクトな折り畳まれた構成を提供する。シャフト１５もまた、傘フレームの全軸長７（Ｆ）を縮小するために（例えば、伸縮部材を介して）折り畳み／圧縮することができる。折り畳む支柱は、全軸長を縮小するために伸縮シャフトと合わせる。
【００４４】
図１Ａ〜１Ｄを参照すると、展開された構成を達成するために、各傘骨は、広げられ、各傘骨の長さが、延在される。第１の支柱１４上の第１のポイント１６は、シャフト１５に沿ってまたは平行して（シャフトと共にまたはそれに関連して）上方８に移動され、図１Ａ、１Ｂで示されるようにシャフト１５から離れるように延在／枢動するように第１の支柱１４をヒンジ結合／枢動１６させる。第２の支柱１７はまた、第１の支柱１４に対して第１のポイント１８において枢動し、シャフト１５から離れるように延在／枢動するように作動する。傘骨１１に取り付けられる天蓋は、その後展開される。展開の一環として、各傘骨の長さが、延在される。第１の支柱の可変長部１９および第２の支柱の可変長部２０のうちの少なくとも１つが、延在され、天蓋のカバー範囲を広げるために、展開された傘骨１１の全径方向長２２（Ｄ）を増加させる。
【００４５】
図１Ｃ、１Ｄにおいて示されるように、折り畳まれた構成において、第１の支柱１４および第２の支柱１７は、枢着部１８がシャフトの頂部に向かって位置付けられるように相対的にヒンジ結合される。代替的な構成も可能である。例えば、第１の支柱および第２の支柱は、枢着部１８がシャフトの底部に向かって位置付けられるように下方へヒンジ結合されることもできる。
【００４６】
傘骨１１は、支柱アクチュエータ２３を使用して折り畳まれた構成および／または展開された構成に操作される。これは、多くの形態を取り得るが、一般的に可能な実施形態は、図１Ａ〜１Ｄにおいて点線で示される。この実施形態において、支柱アクチュエータ２３は、
・第１の支柱１４および第２の支柱１７をシャフト１５に向かって引っ張り折り畳まれた構成とし、軸方向の全支柱長２１を縮小させるように支柱１４、１７のうちの１つまたは両方の可変長部１９、２０を操作し、かつ
・第１の支柱１４および第２の支柱１７をシャフト１５から離れるように押して展開された構成とし、径方向の支柱長２２を増加させるように支柱のうちの１つまたは両方の可変長部１９、２０を操作する。
【００４７】
支柱アクチュエータ２３は、シャフト１５に（第１の部材上の第１のポイント２５において）結合された第１の部材２４を好ましくは備える。第１の部材２４は、第１の部材を第１のポイント２５でヒンジ結合させることを可能とする方法でシャフトに結合される。いくつかの実施形態において、それはまたポイント２５がシャフトに沿ってまたは平行して（シャフトと共にまたはそれに対して）移動することを可能とし得る。好ましくは、必ずしも必要ではないが、シャフト１５に接合された第１の部材２４上の第１のポイント２５は、第１の部材の第１の端部にある。第１の部材２４および第１の支柱１４は、シャフト１５に結合され、および／またはシャフトは、第１の部材２４の結合ポイント２５および第１の支柱１４の結合ポイント１６が、シャフトに沿ってまたは平行して、対しておよび／または反対の方向に移動可能（つまり、反対にまたは反対の方向に移動可能）となるように構成される。このことは、それぞれ第１の部材と、第１の支柱と、シャフトとの間の摺動可能な結合部（複数可）、または少なくとも２つの反対方向に移動する部材を有する伸縮可能なシャフト１５によって達成され得、そこにおいて第１の部材および第１の支柱の各々は、それぞれ移動可能な部材のうちの１つに結合される。第１の支柱および第１の部材のうちの１つのみが、シャフトに対して実際に移動することができ（例えば、軸方向移動を防止し得るもの）、ただしそれらは互いに対しておよび／または反対の方向には依然として移動可能であるということを留意されたい。
【００４８】
第１の部材２４上の第２のポイント２７は、第１の支柱１４上の第３のポイントに枢着部２７によって接合され、第１の部材上の第２のポイント２７は、好ましくは、必ずしもというわけではないが第１の部材の端部ポイント間の某所にあり、第１の支柱上の第３のポイントは、支柱の２つの端部ポイントの間のいくつかのポイントに好ましくはある。支柱アクチュエータ２３はまた、第１のポイント（好ましくは第１の端部）で枢着部２６において第１の部材２４の第２の端部に接合され、第２のポイント（好ましくは第２の端部）で枢着部２９において第２の支柱２９上の第２のポイントに接合される、第２の部材２８を好ましくは備える。
【００４９】
支柱アクチュエータ２３は、傘骨１１を折り畳まれた構成および／または展開された構成に操作するために以下の方法において動作する。傘を折り畳むために、第１の部材２４の結合ポイント２５および第１の支柱１４の結合ポイント１６それぞれは、好ましくは第１の支柱の結合ポイント１６をシャフトの下方へ移動させることによって、互いに離れるように（矢印「Ａ」）シャフトに沿って移動される。図１Ｃ、１Ｄにおいて示されるように、第１の部材２４、第１の支柱１４、および枢着部２７は、それらがシャフトに隣接して、好ましくはシャフトと共におよび／または抗して（当接）整列させるように、シャフト１５に向かって引っ張られる。この動作の一環として、第１の部材２４は、端部ポイント１８、１６間の第１の支柱１４の全長を縮小するように、可変長部１９を作動させる。同時に、支柱アクチュエータ２３の第２の部材２８は、シャフトおよび第１の部材／第１の支柱に隣接するようにシャフト１５に向かって第２の支柱１７を引っ張る。第２の部材２８もまた、第２の支柱１７の全長を縮小するように可変長部を作動させる。このことが、傘骨１１を折り畳まれた位置に折られ、全長が圧縮される結果をもたらす。
【００５０】
第１の支柱１４および第２の支柱１７のうちの１つのみが、可変長部１９、２０を有し、支柱アクチュエータ２３は、１つの可変長部のみを作動させることが理解されるであろう。
【００５１】
傘を展開するために、第１の部材の結合ポイント２５および第１の支柱の結合ポイント１６は、互いに向かって（矢印「Ｂ」）シャフトに沿って移動され、このことは第１の支柱１４をシャフト１５から離れるように枢動させ、延在させる。図１Ａ、１Ｂにおいて示されるように、第２の部材２８は、第２の支柱１７を、第１の支柱１４に対して枢動１８し、シャフト１５から離れるように延在するようにさせる。第１の部材２４および／または第２の部材２８もまた、第１の支柱および／または第２の支柱のあなたの全長を増加させるために支柱１４の可変長部１９および支柱１７の可変長部２０のうちの１つまたは両方を増加させる。
【００５２】
支柱アクチュエータ２３はまた、シャフト１５の一部、またはシャフトへのアタッチメントを備えることができる。例えば第１の部材２４および第１の支柱１７のうちの１つまたは両方が、シャフト上の摺動可能なランナーに結合し得、および／またはシャフト上の伸縮可能な部材に結合され得る。
【００５３】
上記で示される一般的な配置は、１つの実施例であるのみであるということが理解されるであろう。その他の配置を有することも可能であろう。例えば、第１の部材および第２の部材は、支柱を操作するために代替的な方法で位置付けることもできる。
【００５４】
第１の部材および第１の支柱が、シャフトに沿ってまたは平行して、互いに反対の方向および／または相対する方向で移動する一方で、両方が移動しなくともよいということもまた理解されるであろう。例えば、第１の部材および／または第１の支柱のうちの一方が、シャフトに縦方向に接合され得、他方はシャフトに沿って移動する。このことに関係なく、シャフトに取り付けられた第１の部材および第１の支柱上の２つの位置の間に、関連した反対方向への移動が依然としてある。
【００５５】
第１の支柱１４および第２の支柱１７のうちの１つのみが、可変長を有する。例えば、必要に応じて、第２の支柱１７は、可変部を必要としない（ただし以下で説明されるように、先端に張力をかけるための摺動可能部をまた有するであろう）。これにより折り畳まれた構成においてより全体に短い軸長２１（Ｅ）をさらにもたらす。例えば、１つの支柱が短い場合および／または枢着部が支柱の中間ポイントではない場合、１つの支柱長が、可変となり得る。この場合、より長い支柱長が、全軸長を縮小するために折り畳んで縮小され得る。
【００５６】
図１Ｅ、１Ｆは、保管を容易にするために十分に小さな全長に折り畳まれる（ある長さで折られおよび縮小される）ことができるが、保護のための好適な天蓋領域を提供するための十分に大きな天蓋半径を提供するための十分な長さまで延在され／展開され得、一方でまた、延在され／展開された構成（状態）中に天蓋フレームの好適な剛性／頑健性を確実とする傘骨を提供する配置の仕方を示す。図１Ｅは、展開されたときの、傘フレームの様々な寸法（比率を伴う）を示し、図１Ｆは、折り畳まれたときの、傘フレームの様々な寸法（比率を伴う）を示す。両方の図において、図１Ａ〜１Ｄにおいて示された傘名声のいくつかの特徴は、図の明瞭さのために取り除かれている。
【００５７】
図１Ｅを参照すると、展開された構成において、（傘フレーム１２の傘骨１１の）第１の支柱１４は、長さＬ１を有し、第２の支柱１７は、長さＬ２を有する。展開された構成において、これらの傘骨１４、１７は、シャフト１５に正確に垂直に延在しない、そのためそれらは、シャフト１５からのそれぞれの径方向長ＲＬ１およびＲＬ２を有し、シャフトからの傘骨１１の合計径方向長ＲＬＴ（図２Ａおよび４におけるＤ）をもたらす、つまりＲＬＴ＝ＲＬ１＋ＲＬ２である。合計径方向長ＲＬＴは、傘フレームが展開されたとき、十分なユーザのカバー範囲を有する天蓋範囲を支持するために十分に長い。第１の支柱１４は、三角形支持構造体５０によって支持される。三角形支持構造体はまた、傘骨１１全体（第２の支柱１７を含む）を間接的に支持する。三角形支持構造体は、シャフト１５の部位ＴＳＳ３（枢着部結合部１６と枢着部結合部２５との間）、径方向長Ｒ１の支柱アクチュエータの第１の部材（シャフトの枢着部結合部２５と枢着部２７との間）の部位ＴＳＳ１、および径方向長Ｒ２の第１の支柱（シャフトの枢着部結合部１６と枢着部２７との間）の部位ＴＳＳ２を備える。多くの場合、Ｒ１は、Ｒ２と同等またはほぼ同等であるが、それは必須ではない。三角形支持構造体５０のシャフト１５から枢着部２７までの合計の垂直（径方向）長は、ＳＬである。垂直長ＳＬが、傘骨１１にできるだけの片持ち支持を提供するために、可能な限りの長さであることが望ましい。このことで、剛性を提供し、また傘骨１１の合計の長さＲＬＴをより長くすることが可能であり、そのため傘フレームが展開されるとき、天蓋によってより大きなカバー範囲を提供する。
【００５８】
このように、三角形支持構造体の部位ＴＳＳ１の長さＲ１および部位ＴＳＳ２の長さＲ２は、長さＳＬを可能な限りの長さとするために、可能な限りの長さとなるべきである。しかしながら、下記で説明されるように、長さＲ１および／またはＲ２が増加すると、折り畳まれた状態の傘のコンパクト性が減退する。また第１の支柱１４の長さＬ１および第２の支柱１７の長さＬ２は、合計の傘骨長ＲＬＴを最大にするために、可能な限り長くなるべきである。しかしながら、これらの支柱が長くなればなるほど、展開されたとき傘骨１１の剛性が低くなる。さらに、長さＬ１およびＬ２（および好ましい実施形態において、特にＬ１）は、折り畳まれた状態の傘の全体のコンパクト性に影響を与える。
【００５９】
本明細書で説明された配置は、長さＬ１および長さＬ２に対して、展開されたとき、十分な天蓋カバー範囲を展開されたときに提供することを可能とし、一方で三角形支持構造体５０から十分な剛性を有し、つまり十分にコンパクトな折り畳み状態ＣＬ（下記で説明される）を可能とする。各々のこれらのパラメータは、他方に影響を与えるが、説明された配置は、全寸法および／または様々な寸法と構成との間の比率を改善する。このことは、ここで図１Ｆを参照して説明されるであろう。
【００６０】
上記で説明されたように、折り畳まれた状態において、支柱アクチュエータ２３および第１の支柱１４は、離れるように移動され、そのためそれらはシャフト１５に隣接して移動する。これが、三角形支持構造体ＴＳＳを折り畳む。この一環として、第１の支柱１４の可変長部１９が縮小し、その後第１の支柱の長さＬ１が縮小し、その結果第１の支柱に沿ってシャフト１５から枢着部２７まで距離Ｒ２が縮小する。これが、ｃが定数であり、０＜ｃ＜１である、新しい長さｃＲ２をもたらす。このように、折り畳まれた状態において、折り畳まれた三角形支持構造体５０の側面の合計の長さは、Ｒ１＋Ｒ２ではなく、むしろＣＬ＝Ｒ１＋ｃＲ２となる、より短い長さである。（Ｒ１＝Ｒ２の場合、これらはＲを定義し得、合計の長さＣＬは２Ｒではなく、むしろＣＬ＝（１＋ｃ）Ｒとなる、より短い長さである。）ＣＬはまた、折り畳まれた傘フレームの全長となり得る。このように、この配置は、折り畳み長ＣＬがＲ１＋Ｒ２未満となるが、展開された状態において、三角形支持構造体５０により長いＲ１および／またはＲ２を可能とする。このより長いＲ１および／またはＲ２は、より長いＳＬにつながり、そのためより良い支持体がより長いＲＬＴを可能とし（より長いＳＬはより長いＲＬＴの支持体を提供し、一方で展開された傘骨１１に必要となる剛性を依然として保持する）、一方でコンパクトな状態においてより短いＣＬを依然として可能とする。加えて、第１の支柱１４の縮小された長さは、折り畳まれた状態において、第１の支柱Ｌ１の全長を、ｂが定数であり、０＜ｂ＜１の、ｂＬ１に縮小する。これは、全体でより長いＲＬＴおよび（より大きな天蓋カバー範囲）を提供するより長いＬ１を可能とし、一方でＬ１未満の折り畳まれた状態の長さＣＬを依然として可能とする。
【００６１】
同様に、および必要に応じて、第２の支柱の折り畳みは、折り畳まれた状態において、支柱Ｌ２の全長を、ａが定数であり、０＜ａ＜１である、ａＬ２に縮小することを意味する。これは、全体でより長いＲＬＴおよび（より大きな天蓋カバー範囲）を提供するより長いＬ２を可能とし、一方でＬ２未満の折り畳まれた状態の長さＣＬを依然として可能とする。典型的に、Ｌ２は、Ｌ１よりも短く、（図６において見られるように、これは必須ではないが）折り畳まれた状態においてもまたより短くなるであろう。このように、多くの場合、長さＬ２の縮小は、すでにｂＬ１未満であることから必須とはならないであろう。いずれの場合においても、傘フレームの折り畳まれた状態が、全長ＣＬを有する場合、これは、Ｒ１＋ｃＲ２（またはＲ１＝Ｒ２のとき（１＋ｃ）Ｒ）、ｂＬ１、およびａＬ２の最大によって定義され、これらの最大は所望されるＣＬを与えるために十分短くなるはずであろう。シャフト長１５もまた、全長ＣＬの考慮すべき点であり、所望されるＣＬを得るために長さを縮小され得るであろう。
【００６２】
上記に加えて、第１の支柱１４は、枢着部２７を超えて第２の枢着部１８に延在する。枢着部２７と枢着部１８との間の第１の支柱１４の一部は、追加の支持体を提供する。
【００６３】
上記に加えて、支柱アクチュエータの第２の部材２８は、全傘フレーム１２の傘骨１１のための、および第２の支柱１７のための追加の支持体を提供する。これは、その作動機能への追加である。第２の部材２８、支柱１１、部材２４、および支柱１７を合わせたものによって形成される平行四辺形は、追加の支持体を提供する。
【００６４】
要するに、長さＬ１、長さＬ２および長さＲ１、長さＲ２（またはＲ１＝Ｒ２のときはＲ）（およびシャフト長）の相互に関連付けられた設計によって、傘フレームは、展開中の十分なカバー範囲のための十分な長さＲＬＴ、展開された傘フレームのために十分な支持体を提供するための十分に大きな長さＳＬ、ならびに折り畳まれた状態中に十分なコンパクト性ＣＬを提供するためにＲ１、Ｒ２、Ｌ１、および／またはＬ２の十分な長さの縮小があるように設計され得る。
【００６５】
十分なカバー範囲とは、天蓋が、展開されたとき自然力からの保護を提供するように人物を覆うために十分な領域Ａｕを有することを意味する。好ましくは、図９Ａ、９Ｂを参照すると、展開された天蓋は、計画図（図９Ａ）を参照するとき、領域Ａｕにおいて少なくとも同じ半径Ｒｐまたは人物としてもたらされる領域Ａｐをもたらす半径Ｒｕを有し、より好ましくは、天蓋は、計画図を参照するとき、半径Ｒｐまたは人物としてもたらされる領域Ｒｐを超える（それより大きな）半径Ｒｕまたは領域Ａｕを有し、さらにより好ましくは、計画図における人物の領域の約１〜約２倍、またはそれより大きくなるように、計画図（図９Ｂ）における人物９１の半径Ｒｐまたは領域Ａｐの倍数（整数または実数の倍数）となる領域Ａｕをもたらす半径Ｒｕを有する。計画図における半径／人物の領域の約０．５〜約１倍、または半径／人物の領域の２倍超などの、その他の倍数も可能である。計画図における人物の領域は、肩を横切るおよびΠｒ２を使用する等、その一番広い部分の半径Ｒｐから得られ得る。同様に、天蓋の領域は、先端から先端５０およびΠｒ２を使用する等、その一番広い部分の直径／半径Ｒｐから得られ得る。説明される天蓋／人物は、実質的に円形ではない、そのため天蓋／人物領域は、円を表すΠｒ２ではないが、これは近似値である。一実施例として、展開されたとき、天蓋の半径は、約４５０ｍｍ〜６００ｍｍとなり得、これはおよそ０．６ｍ２〜１．１ｍ２の領域を提供する。同様に、十分なコンパクト性とは、長さＣＬが、携帯／保管に便利なサイズを提供するために十分に小さいことを意味する。ある実施例において、約１９０ｍｍ〜約２５０ｍｍの長さＣＬとなり得る。長さＳＬは、少なくとも既存の傘と同程度まで自然力および他の力（例えば、風、雨、およびその他の力）に耐えることができるように天蓋を十分に支持し、一方で展開されたとき、全面的により大きな天蓋を提供し、および／または折り畳まれたとき、よりコンパクトな傘を提供する。
【００６６】
開示された本設計は、これらの寸法が、既存の傘天蓋フレームに勝るカバー範囲、コンパクト性、および支持体の全体的な改善を提供するために配置され得ることを可能とする。１つのパラメータにおける妥協は、別のパラメータにおける前進につなげることができる（例えば、より小さな天蓋領域を可能とすれば、よりコンパクトな折り畳み傘につなげることができる）、しかしそれぞれの場合において、カバー範囲、コンパクト性、および支持体の間の関係は、割合ＲＬＴ：ＣＬを含んで、既存の傘によって提供されるものよりも全体的により良くなるであろうということを理解されるであろう。支柱部材１４、１７の縮小を２つに、およびそれらの間の枢着部を１つ（枢着部１８）にすることも可能とし、一方でカバー範囲およびコンパクト性の利便性も獲得する。設計は以下の比率となり、既存の傘の同様の比率に勝る改善を提供するであろう。
・三角形支持構造体半径の傘フレーム半径合計に対する比率−ＳＬ：ＲＬＴ
・傘フレーム半径合計のコンパクトな長さに対する比率−ＲＬＴ：ＣＬ
・展開された状態における三角形支持構造体の合わせた径方向長Ｒ１、Ｒ２の折り畳まれた状態における三角形支持構造体の合わせた径方向長に対する比率（Ｒ１＋Ｒ２）：（Ｒ１＋ｃＲ２）またはＲ１＝Ｒ２の場合、２Ｒ：（１＋ｃ）Ｒ、Ｒ＝Ｒ１＝Ｒ２である。
【００６７】
比率ＲＬＴ：ＣＬは、既存の傘よりも良い、展開されたときのカバー範囲対折り畳まれたときのコンパクト性を提供する傘の特徴を網羅する。
【００６８】
いくつかの可能な範囲、寸法、および関係する比率は、寸法および比率の可能な実施例を伴い、これより説明されるであろう。寸法および関係する比率のこれらの範囲および実施例は、限定するものと考えられるべきではなく、むしろ典型的なサイズの傘に関して説明された傘フレームによって提供される利点を実証するための実施例であるということが理解されるであろう。いずれの寸法を有する傘フレームも、説明される実施形態に従って組み立てられ、各々が、既存の傘よりも良い比率ＲＬＴ：ＣＬを提供する可能性を含み、説明される利点を提供することができる。
【００６９】
全体的に展開された傘骨１１は、約４５０ｍｍ〜６００ｍｍの径方向長ＲＬＴを有することができ、１つの実施形態は、約５２１．７２ｍｍであり、この半径を有する展開された天蓋へとつながる。ＲＬ１およびＲＬ２は、この長さまでで合わせ、相応の範囲内に入ることができる。例えば、ＲＬＴが約５２１．７２ｍｍの場合、２６５．３６ｍｍの第１の支柱１４、ＲＬ１および２５６．３６ｍｍの第２の支柱１７、ＲＬ２を備えることができる。
【００７０】
部材ＴＳＳ１の長さＲ１および部材ＴＳＳ２の長さＲ２は、約１００ｍｍ〜約２００ｍｍの範囲内に入ることができ、１つの実施例は、それぞれＲ１＝１３８ｍｍおよびＲ２＝１３２．５８ｍｍである。これは、傘骨１１が展開されるとき約１３１．６８ｍｍのシャフトから枢着部２７までの径方向長ＳＬにつながる（つまり、例えば約１００ｍｍ〜約２００ｍｍの範囲内に入るＲ１，Ｒ２に相応の範囲内に入るＳＬ）。第１の支柱の延在された長さＬ１の合計は、約２６９ｍｍなどの、約２００〜３００ｍｍｍとなり得、これは約２６５．３６ｍｍ、つまり例えばシャフト１５から枢着部１８の間で約２＊ＳＬの径方向長ＲＬ１につながる。長さＬ２は、約２５８ｍｍなどの、約２００ｍｍ〜約３００ｍｍとなり得る。径方向長ＲＬ１が２＊ＳＬであることは必須ではないことを留意されたい。縮小された長さＬ１は、約２１２ｍｍなどの、約２００ｍｍ〜約３００ｍｍとなり得る）縮小された長さＬ２（縮小される場合）は、約２４７ｍｍなどの、約２００ｍｍ〜約３００ｍｍとなり得る。
【００７１】
これらは、より一般的な長さ、例えば：ＲＬＴ＝３．９５＊ＳＬ、ＲＬ１＝２＊ＳＬ、１．５６＊ＳＬのｂＬ１、およびＣＬ＝１．８１＊ＳＬにつながる。この場合、折り畳まれた構成における第２の支柱１７は、第１の支柱１４の縮小された長さｂＬ１よりも長く、そのため全長ＣＬに影響を与える。これは常にそうなるわけではない。より一般的に、ＣＬは、約１９０ｍｍ〜２５０ｍｍとなり得る。折り畳まれた形態において、全長ＣＬは、１９０ｍｍ〜２５０ｍｍ（またはより一般的に、例えば、１．８１ＳＬ）となり得る。
【００７２】
これらの寸法は、以下の比率（非限定的な実施例として）につながる：
・ＳＬ：ＲＬＴは、例えば約０．２：１〜０．４：、またはある特定の実施形態において、１３１．６８：５２１．７２＝およそ０．２５：１、
・ＲＬＴ：ＣＬは、例えば約１．８：１〜４：１、および好ましくは少なくとも４：１よりも大きくなる。
・（Ｒ１＋Ｒ２）：（Ｒ１＋ｃＲ２）は、約２７０：１．５６＊ＳＬ
【００７３】
他の比率も、引用され得、または相互形態において提供され得、および上記はほんの一例であることが理解されるであろう。
【００７４】
傘名声１３および傘の第１の可能な実施形態が、ここで図２Ａ〜２Ｇおよび３Ａ、３Ｂを参照して説明されるであろう。この実施形態は、上記で説明された態様を実装する。図２Ａ〜２Ｇは、完全に折り畳まれたものから完全に展開されたものまで様々な構成で、シャフト１５に取り付けられた傘フレーム１３の１つの傘骨１１を示し、一方で図３Ａ、３Ｂは、完全に折り畳まれた構成および完全に展開された構成で示される全ての傘骨を有するフレーム全体の斜視図を示す。天蓋は、明瞭さのために示されないが、天蓋が動作する傘を提供するために傘フレームに取り付けられ得ることが、理解されるであろう。天蓋７０の実施例は、第２の可能な実施形態に関して図７、８において示されるが、天蓋は同様の方法で第１の可能な実施形態のフレームに適用され得ることが理解されるであろう。天蓋は、例えばＰＣＴ出願第ＷＯ２００５／０４８７６５号において説明されるように適用され得る。
【００７５】
図を参照すると、傘フレーム１３は、シャフト１５および例えばシャフト１５から径方向に延在する傘骨１１などの６つの傘骨を備える。折り畳まれた構成において、傘骨は、折られ、縮小された全傘骨長／軸長を有するコンパクトな携帯可能および保管可能な構成を提供するために、長さを縮小し、および展開された構成において、動作可能な傘を提供するために長さを伸ばし、延在させる。実施形態は、全てが同様の方法で動作する傘骨のうちの１つ傘骨１１を参照してここで説明されるであろう。
【００７６】
図２Ａを参照すると、傘フレーム１３は、そこから径方向に延在する折り畳み可能および展開可能な傘骨１１を有する、シャフト１５を備える。各傘骨１１は、第１の端部１６（第１のポイント）において摺動可能なランナー３０上でシャフト１５に枢動可能に結合された１６第１の支柱１４を備える。摺動可能なランナーは、第１の支柱１４をシャフト１５に向かってまたは離れるように操作するために、第１の支柱１４の第１の端部１６がシャフトの上８と下５で移動するようにシャフト１５を軸方向に上下して移動することができる。第１の支柱１４は、支柱スリーブ３１およびスリーブ３１内で摺動可能な支柱部材３２を備える。摺動可能な支柱部材３２および支柱スリーブ３１は、第１の支柱の可変長（可変長部１９）を提供するように伸縮可能な配置である。支柱部材３２が支柱スリーブ３１内に格納されるとき、第１の支柱の全長は縮小され、第１の支柱部材３２が支柱スリーブ３１から延在するとき、第１の支柱の全長は、増加する。接合スリーブ３３は、支柱部材の他方の端部に提供される。
【００７７】
第２の支柱１７は、接合スリーブ３３上の枢着部１８で第１の支柱１４の第２の端部１８に接続される。第２の支柱１７は、傘骨ガイド（スリーブ）３４および傘骨ガイド内で摺動可能な傘骨３５を備える。傘骨および傘骨ガイドは、第２の支柱の可変長（可変長部２０）を提供するための伸縮可能な配置を提供する。傘骨３５が傘骨ガイド３４内に格納されるとき、第２の支柱１７の全長は縮小され、傘骨ガイド３４から傘骨３５が延在するとき、第２の支柱１７の全長は、増加する。先端５０は、傘骨３５を天蓋に配置し結合させるために傘骨３５の端部に提供される。先端５０は、ＰＣＴ出願第ＷＯ２００５／０４８７６５号において説明され、その全体が本明細書に組み込まれる、天蓋に張力を提供する力スプレッダと例えばなり得る。
【００７８】
支柱アクチュエータ２３は、前記説明された摺動可能なランナー３０およびまた、好ましくは第１の部材の第１の端部（第１のポイント）で結合する枢着部２５によってシャフト１５に結合される第１の部材２４（または支柱とも呼ばれる）を備えて提供される。結合部２５は、好ましくは枢動可能であるが、シャフト１５に対して移動可能とならないように摺動可能ではない。第１の部材２４の第２のポイント２７は、第１の支柱上の第２のポイント２７において第１の支柱１４に枢動可能に取り付けられる。第１のレバー部材３６は、１つの端部３８が支柱スリーブ３１（第１の支柱の第３のポイント）に枢動可能に結合され、他方の端部３７が第１の部材に枢動可能に結合される。第１の部材２４は、湾曲し、第２の端部２６で接合スリーブ４１において支柱アクチュエータ２３の第２の部材２８に枢動可能に結合される。第２の部材２８は、シャフト４０および他方端部において、第２の支柱の傘骨３５に枢動可能に２９、結合された接合スリーブ４２を有する。第２のレバー部材４３は、１つの端部４４において支柱接合スリーブ３３に枢動可能に結合され、他方端部４５においてシャフト４０の第２の部材に枢動可能に結合される。
【００７９】
図２Ａ〜３Ｂ、および４を参照すると、フレームは、以下のように動作する。図４は、実施形態の様々な角度および枢動軸を示す。傘を展開するために、摺動可能なランナー３０は、第１の支柱１４の第１の端部１６と、支柱アクチュエータ２３の第１の部材２４の第１の端部２５との間の反対の方向への移動を作り出すために、シャフト１５を垂直に上８へ押される。ランナーが上方Ａに滑動すると、第１の部材の第１の端部２５、１６と第１の支柱との間の距離が縮小し、角度ＺおよびＹが増加する。このことはまた、角度Ｘも増加させる。この移動は、第１の部材２４、第１の支柱１４、および枢着部２７をシャフトから離れるように延在させる。第１のレバー部材３６は、第１の部材２４と第１の支柱１４のスリーブ３１との間の反動力を保持して、枢着部２７がシャフトから離れるように移動するため摺動可能な支柱部材３２をスリーブ３１から引っ張り、そのため距離Ｂによって第１の支柱の長さを増加させる。このことが、ポイント２５、２７、および１６間に三角形を提供し、２つの側面が折り畳み／展開中の可変長を有する。
【００８０】
Ｂの長さが増加するかどうかに関係なく、角度Ｗは、減少する。いびつな平行四辺形が、ポイント２７、２６、４４、および４５の間に形成される。第１の部材２４の第２の端部２６は、第２の部材２８を、第１の端部２６の周りを枢動し、シャフト１５から離れるように延在するようにさせる。角度Ｗの減少は、角度Ｖの減少につながる。第２の部材２８は、第２の支柱１７が、第１の支柱１４を有する枢着部１８の周りでヒンジ結合するためシャフト１５から離れるように延在させる。第２のレバー部材４３もまた、第２の部材２８の端部が２９の周りを枢動するように第２の部材２８と第１の支柱／第２の支柱との間に半動力を作り出し、傘骨３５を傘骨ガイド３４から離れるようにし、そのため距離Ｃにより第２の支柱１７の全長が増加する。これは、枢着部１８および枢着部２９が互いから離れるように移動することを意味する。これが、天蓋を展開するための十分な長さである全体の傘骨径方向長２２（Ｄ）（またＲＬＴ）を作り出し、必要とされる程度まで自然力からユーザを保護するための好適な寸法の径方向長を提供する。
【００８１】
傘を折り畳むために、摺動可能なランナー３０は、第１の支柱１４の第１の端部１６と、支柱アクチュエータ２３の第１の部材２４の第１の端部２５との間で反対の方向のおよび／または対する移動を作り出すためにシャフト１５を垂直に下５へ押される。ランナーが下へ滑動すると、第１の部材の第１の端部と第１の支柱との間の距離Ａは、増加し、角度ＺおよびＹは、減少する。この動きは、第１の部材２４、第１の支柱１４、および枢着部２７をシャフト１５に向かって引っ張り、好ましくはシャフトに抗して整列する。第１のレバー部材３６は、枢着部２７がシャフトに向かって移動するとき枢着部２７がスリーブ３１に摺動可能な支柱部材３２を引くように、第１の部材２４と第１の支柱１４のスリーブ３１との間に反動力を作り出し、そのため距離Ｂによって第１の支柱の長さが減少する。第１のレベル部材３６は、三角形に安定性を提供し、それ自身がポイント３８、３７、および２７間で三角形を形成する。展開中三角形内の角度Ｘの増加は、長さＢを増加させるためにスリーブ３１に関して第１の支柱１４のリニアモーターを作動させる。
【００８２】
第１の部材２４の第２の端部２６は、第２の部材２８を第１の端部２６の周りで枢動させ、シャフトに向かって引っ張る。第２の部材２８は、第２の支柱１７を、枢着部１８の周りで第１の支柱１４とヒンジ結合するためシャフトに向かって引くようにさせる。第２のレバー部材４３もまた、第２の部材２９の端部が傘骨３５を傘骨ガイド３４に入るようにさせるために第２の部材２８と第１の支柱／第２の支柱との間に反動力を作り、そのため距離Ｃによって第２の支柱の全長が減少する。このことが、保管／携帯に好適な折り畳まれた傘を作り出すために十分に縮小された長さの、折り畳まれた傘骨Ｅの全長寸法を作り出す。シャフト１５もまた、傘フレームの全軸長７（Ｆ）を縮小するために折り畳み／収縮（例えば、伸縮部材を介して）することができる。折り畳む支柱は、全軸長を縮小するために伸縮シャフトと合わせる。
【００８３】
別の可能な実施形態が、図５Ａ〜８に示される。この実施形態は、上記で説明された態様を実装し、前記の実施形態と同様の多くの特徴を有するが、いくつか異なる特徴を有する。異なる特徴が説明されるが、当業者は全ての説明が本明細書において必要ではないということを理解するであろう。
【００８４】
図は、シャフト１５に取り付けられた傘フレーム１３の１つの傘骨１１を示す、一方で図６は完全に折り畳まれて示される１つの傘骨１１を示す。図７、８は、ＰＣＴ出願第ＷＯ２００５／０４８７６５号において説明されるように、天蓋が取り付けられた傘フレーム全体を示す。傘骨１１は、本明細書前記に概して説明されるように展開し、折り畳まれる。
【００８５】
図５Ａ、５Ｂを参照すると、傘フレーム１３は、そこから径方向に延在する折り畳み可能および展開可能な傘骨１１を有する、シャフト１５を備える。各傘骨１１は、第１の端部１６（第１のポイント）において摺動可能なランナー３０上でシャフト１５に枢動可能に結合された１６第１の支柱１４を備える。摺動可能なランナーは、第１の支柱１４をシャフト１５に向かってまたは離れるように操作するために、第１の支柱１４の第１の端部１６がシャフトの上８と下５で移動するようにシャフト１５を軸方向に上下して移動することができる。第1の支柱１４は、支柱スリーブ６０およびスリーブ６０内で摺動可能な支柱部材６１を備える。摺動可能な支柱部材６１および支柱スリーブ６０は、第1の支柱の可変長（可変長部１９）を提供するように伸縮可能な配置である。支柱部材６１が支柱スリーブ６０内に格納されるとき、第１の支柱の全長は縮小され、第１の支柱部材６１が支柱スリーブ６０から延在するとき、第１の支柱の全長は、増加する。接合スリーブ６２は、支柱部材の他方の端部に提供される。
【００８６】
第２の支柱１７は、接合スリーブ６２上の枢着部１８で第１の支柱１４の第２の端部１８に接続される。第２の支柱１７は、傘骨ガイド（スリーブ）６３および傘骨ガイド６３内で摺動可能な傘骨３５を備える。傘骨３５は、枢着部１８を保持する接合スリーブ６４に取り着く。第２の傘骨６６は、先端５０に接合され、傘骨ガイド６３から先端／力スプレッダ５０まで延在し、これが配置され、傘骨６６を天蓋７０に結合する。ばね６５が、傘骨ガイド６３と力スプレッダとの間の第２の傘骨６６にわたって与えられる。先端５０は、ＰＣＴ出願第ＷＯ２００５／０４８７６５号において説明され、その全体が本明細書に組み込まれる、天蓋に張力を提供する力スプレッダと例えばなり得る。傘骨１１が展開するとき、傘骨ガイド６３は、傘骨３５が傘骨ガイド６３から滑動するように、第１の傘骨３５上を滑動し、傘骨ガイドはまた、先端を展開するために先端５２に抗して第２の傘骨６６を押す。天蓋からの反動力が、ばね６５に抗して先端を通って押し返す。これが、天蓋７０を展開し、張力をかける。折り畳まれる間、傘骨ガイド６３は、第１の傘骨３５が傘骨ガイド６３内に滑動するようにもとに格納され、第１の傘骨３５をわたって滑動し、第２の傘骨６６を引き戻すため、先端を通る天蓋からの反動力は、除去され、ばねにかかる張力は、先端５０および天蓋７０の折り畳みを可能とするために開放される。見られるように、この配置において、第２の支柱１７は、折り畳みおよび展開の間、第１の傘骨３５が傘骨ガイド６３内に滑動する、および第１の傘骨３５があざけりガイド６３から外に滑動することによって長さが可変となる。第１の傘骨３５および傘骨ガイド６３は、可変長部を提供するために伸縮する。しかしながら、長さの変動は、小さく、コンパクト性理由のために必須ではない。むしろ、長さ変動配置は、主に張力を提供するためである。そのため、第２の可能な実施形態は、可変長がコンパクトな配置を提供するために必須ではない、第２の支柱１７を有するオプションを実証する。折り畳まれた構成において、第２の支柱１７（短縮のない、またはわずかな短縮のみを有する）は、必要とされるコンパクト性を提供するように十分に短くなるように十分に短く、なお十分な天蓋７０のカバー範囲を提供するための全径方向長ＲＬＴを提供するよう十分に長い。
【００８７】
示された実施形態の様々な変化が、可能であるということが理解されるであろう。例えば、傘骨１１は、説明されたものとはさかさまの方法で配置され得る。また、伸縮可能／延在可能な長さの部位のうちの1つを有することが必要であるのみとなり得る。第１の支柱１４および第２の支柱１７のうちの1つが、他方よりも短くなるように枢着部ポイント１８を移動することが可能で、他方の支柱は、折り畳みの際に、折り畳まれた構成において両方の支柱の全長を縮小するために縮小されるように、可変長部を有する。長さの縮小を最大とし得るように、両方の支柱が、伸縮部を有することが好ましい。
【図１Ａ】
2018514348.tif 000003
【図１Ｂ】
2018514348.tif 000004
【図１Ｃ】
2018514348.tif 000005
【図１Ｄ】
2018514348.tif 000006
【図１Ｅ】
2018514348.tif 000007
【図１Ｆ】
2018514348.tif 000008
【図２Ａ】
2018514348.tif 000009
【図２Ｂ】
2018514348.tif 000010
【図２Ｃ】
2018514348.tif 000011
【図２Ｄ】
2018514348.tif 000012
【図２Ｅ】
2018514348.tif 000013
【図２Ｆ】
2018514348.tif 000014
【図２Ｇ】
2018514348.tif 000015
【図３Ａ】
2018514348.tif 000016
【図３Ｂ】
2018514348.tif 000017
【図４】
2018514348.tif 000018
【図５Ａ】
2018514348.tif 000019
【図５Ｂ】
2018514348.tif 000020
【図６】
2018514348.tif 000021
【図７】
2018514348.tif 000022
【図８】
2018514348.tif 000023
【図９Ａ】
2018514348.tif 000024
【図９Ｂ】
2018514348.tif 000025
【国際調査報告】
2018514348.tif 000026
2018514348.tif 000027
2018514348.tif 000028
2018514348.tif 000029
2018514348.tif 000030